【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
太陽電池モジュールに適したフレームであって、
上方フレーム部材と、
下方フレーム部材と、
右側方フレーム部材と、
左側方フレーム部材と、
前記側方フレーム部材の少なくとも１つに取り付けられているか又は一体部分であり且つ前記下方フレーム部材に向かうか又はほぼ向かう方向に突出している少なくとも１つの突出部材とを含み、
前記フレーム部材の各々は、少なくとも外側側部と、内側側部と、当該フレーム部材の長さの少なくとも一部分に沿って延びている下方部分と、を含んでおり、前記フレーム部材は高分子材料又は合成材料からなる、ことを特徴とするフレーム。
【請求項２】
請求項１に記載のフレームであって、
前記フレーム部材のうちの各々が最初は別個の部片であり且つ結合されてフレームを形成するようになされているフレーム。
【請求項３】
請求項１に記載のフレームであって、
前記側方フレーム部材の各々の外側側部が、連結形態で屋根タイルの端縁と係合する形状とされた一部分を有しているフレーム。
【請求項４】
請求項３に記載のフレームであって、
屋根タイルの端縁と係合する形状とされた部分がＵの字形状であるフレーム。
【請求項５】
請求項１に記載のフレームであって、
突出部材がタブ形状であるフレーム。
【請求項６】
請求項１に記載のフレームであって、
前記側方フレーム部材の少なくとも１つの下方部分上に配置されており且つ前記側方フレーム部材の方向に平行に配置されているフレーム。
【請求項７】
請求項１に記載のフレームであって、
１つのフレームをもう一つ別のフレームに固定するための手段を更に含んでいるフレーム。
【請求項８】
請求項７に記載のフレームであって、
１つのフレームを別のフレームに固定するための手段が、フレームに固定されているねじが切られたボルトであるフレーム。
【請求項９】
請求項７に記載のフレームであって、
１つのフレームを別のフレームに固定するための手段が、フレームに固定されているねじが切られたボルトであるフレーム。
【請求項１０】
請求項８に記載のフレームであって、
前記上方フレーム部材が、前記右側方フレーム部材に隣接した右側端部と、前記左側方フレーム部材に隣接した左側端部とを有し、１つのフレームを別のフレームに固定するための手段が、前記上方フレーム部材の左端部に又はその近くに配置されているフレーム。
【請求項１１】
請求項１に記載のフレームであって、
前記側方フレーム部材が上方端部と下方端部とを有しており、前記突出部材は、前記上方端部よりもむしろ下方端部に近接して側方フレーム部材上に配置されているフレーム。
【請求項１２】
請求項１に記載のフレームであって、
前記フレーム部材が、上方端部と下方端部とを有しており且つ前記側方フレーム部材の下方端部よりも前記上方端部に近接して配置されているフレーム。
【請求項１３】
フレーム装置であり、
太陽電池モジュールに適した少なくとも１つのフレームであって、当該フレームは、
上方フレーム部材と、
下方フレーム部材と、
右側方フレーム部材と、
左側方フレーム部材と、
前記側方フレーム部材のうちの少なくとも１つに取り付けられるか又は一体化部分に取り付けられ且つ前記下方フレーム部材に向かうか又はほぼ向かう方向に突出している少なくとも１つの突出部材であり、前記側方フレーム部材及び前記下方フレーム部材は高分子材料又は合成材料からなる、前記少なくとも１つの突出部材と、
前記フレームの突出部材と係合するための凹部を含んでいる押縁とを含んでいる前記少なくとも１つのフレームとを含んでいるフレーム装置。
【請求項１４】
請求項１３に記載のフレーム装置であって、
前記押縁がＪ字形状であるフレーム装置。
【請求項１５】
請求項１３に記載のフレーム装置であって、
前記押縁が１以上の水抜き穴を含んでいるフレーム装置。
【請求項１６】
請求項１３に記載のフレーム装置であって、
前記押縁の長さが前記フレームの下方部材よりも短いフレーム装置。
【請求項１７】
勾配屋根上に骨組み太陽電池モジュールを設置するための方法であって、
（ａ）屋根上の所望の位置で屋根に押縁を取り付けるステップであり、前記押縁は、開口部分を有している凹部を含んでおり且つ前記凹部の前記開口部分が前記勾配屋根の上方部分に対向している、前記屋根に押縁を取り付けるステップと、
（ｂ）前記屋根上に、請求項１のフレームによって骨組み太陽電池モジュールを位置決めし、前記フレームの少なくとも１つの突出部材が前記押縁の凹部と係合するようにするステップと、を含む方法。
【請求項１８】
請求項１７に記載の方法であって、
前記突出部材を押縁と係合させるために、モジュールを下方向へ動かすことを含んでいる方法。
【請求項１９】
請求項１７に記載の方法であって、
前記フレームが、隣接する屋根タイルに隣接して配置されており且つ当該屋根タイルと接触している方法。
【請求項２０】
請求項１７に記載の方法であって、
前記少なくとも２つの押縁が屋根に取り付けられており、押縁が、押縁間の空隙に屋根を固定して水のための通路を提供している方法。
【請求項２１】
請求項１７に記載の方法であって、
前記少なくとも２つの押縁が屋根に取り付けられており、押縁が、押縁間の空隙に屋根
を固定して水のための通路を提供する方法。
【請求項２２】
請求項１に記載のフレーム内に骨組みされた太陽電池モジュールを含んでいる太陽電池屋根用タイル。
【請求項２３】
太陽電池モジュールに適したフレームであって、
上方フレーム部材と、
下方フレーム部材と、
右側方フレーム部材と、
左側方フレーム部材とを含み、
前記フレーム部材の各々が、少なくとも１つの外側側部、内側側部、前記フレーム部材の長さの少なくとも一部分に沿って延びている下方部分とを備えており、前記フレーム部材は高分子材料又は合成材料からなり、
当該フレームを別のフレームに固定するための手段を含んでいる、フレーム。
【請求項２４】
請求項２３に記載のフレームであって、
１つのフレームをもう一つ別のフレームに固定するための手段が前記上方フレーム部材上に配置されているフレーム。
【請求項２５】
請求項２３に記載のフレームであって、
１つのフレームをもう一つ別のフレームに取り付けるための手段が、前記フレームに固定されているねじが切られたボルトであるフレーム。
【請求項２６】
請求項２３に記載のフレームであって、
前記上方フレーム部材が前記右側方フレーム部材に隣接した右側端部と、前記左側方フレーム部材に隣接した左側端部とを有し、一つのフレームをもう一つ別のフレームに対して固定するための手段が前記上方フレーム部材の左端部又はその近くに配置されているフレーム。
【請求項２７】
請求項７に記載のフレームであって、
前記固定するための手段に取り付けられた接地線を更に含んでいるフレーム。
【請求項２８】
請求項１７に記載の方法であって、
前記フレームが更に、フレームを隣接のフレームに固定するための手段を含んでおり、各フレームが一列のフレームに固定されている方法。
【請求項２９】
請求項２８に記載の方法であって、
少なくとも１つの接地線を少なくとも前記フレームに取り付けられることを更に含み、前記接地線は、前記フレームを固定するための手段に取り付けられている方法。
【請求項３０】
請求項１３に記載のフレーム装置であって、
前記フレーム内に太陽電池モジュールが骨組みされている屋根フレーム装置。
【請求項３１】
請求項２３のフレーム内に骨組みされた太陽電池モジュールを含んでいる太陽電池屋根用タイル。
【請求項３２】
請求項１に記載のフレームであって、
一部片であり且つ射出成形によって作られているフレーム。
【請求項３３】
請求項１３に記載のフレーム装置であって、
一部片であり且つ射出成形によって作られているフレーム装置。
【請求項３４】
請求項２３に記載のフレームであって、
一部片であり且つ射出成形によって作られているフレーム。